【手続補正書】
【提出日】平成26年6月13日(2014.6.13)
【手続補正１】
【補正対象書類名】明細書
【補正対象項目名】０００４
【補正方法】変更
【補正の内容】
【０００４】
しかしながら、上記のような細線径レベルの銅電線の置換を想定すると、自動車用電線のうちの信号線などに用いられる細線径電線用途において、導電率が３０％ＩＡＣＳ以上で、かつ、引張強度が３５０ＭＰａ以上の導体を用いることが必要となる。
【手続補正２】
【補正対象書類名】明細書
【補正対象項目名】０００７
【補正方法】変更
【補正の内容】
【０００７】
本発明は、上記した従来の問題点を改善する、すなわち、特に自動車用の信号線などの細線径電線に適した、導電率が３０％ＩＡＣＳ以上で、かつ、引張強度が３５０ＭＰａ以上のアルミニウム電線用芯線、および、このようなアルミニウム電線用導体を実現させるための導電用アルミニウム導体材料を提供することを目的とする。
【手続補正３】
【補正対象書類名】明細書
【補正対象項目名】０００８
【補正方法】変更
【補正の内容】
【０００８】
本発明の導電用アルミニウム導体材料は上記課題を解決するため、請求項１に記載の通り、銅０．２質量％以上３質量％以下、マグネシウム０．５質量％以上３．６質量％以下、および、亜鉛５質量％以上７．５質量％以下を含み、かつ、残部がアルミニウムと不可避不純物とから構成されており、かつ、引張強度が３５０ＭＰａ以上であることを特徴とする導電用アルミニウム導体材料である。
また、本発明の導電用アルミニウム導体材料は、請求項２に記載の通り、銅０．２質量％以上３質量％以下、マグネシウム０．５質量％以上３．５質量％以下、亜鉛５質量％以上７．５質量％以下、および、ケイ素を０．４質量％以下を含み、かつ、残部がアルミニウムと不可避不純物とから構成されており、かつ、引張強度が３５０ＭＰａ以上であることを特徴とする導電用アルミニウム導体材料である。
また、本発明の導電用アルミニウム導体材料は、請求項３に記載の通り、銅０．２質量％以上３質量％以下、マグネシウム０．５質量％以上３．５質量％以下、亜鉛５質量％以上７．５質量％以下、および、ケイ素を０．０１質量％０．０５質量％以下を含み、かつ、残部がアルミニウムと不可避不純物とから構成されており、かつ、引張強度が３５０ＭＰａ以上であることを特徴とする導電用アルミニウム導体材料である。
【手続補正４】
【補正対象書類名】明細書
【補正対象項目名】０００９
【補正方法】変更
【補正の内容】
【０００９】
本発明のアルミニウム電線用導体の製造方法は請求項４に記載の通り、請求項１ないし請求項３のいずれか１項に記載の導電用アルミニウム導体材料からなる荒引線を鋳造する鋳造工程、４５０℃以上５００℃以下の温度で５時間以上１０時間以下溶体化処理する溶体化処理工程、５℃／秒以上の冷却速度で冷却する冷却工程、所望の太さまで伸線する伸線工程、および、１００℃以上３００℃以下で１時間以上５０時間以上時効処理を行う時効処理工程をこの順で備えたことを特徴とするアルミニウム電線用導体の製造方法である。
【手続補正５】
【補正対象書類名】明細書
【補正対象項目名】００１０
【補正方法】変更
【補正の内容】
【００１０】
本発明のアルミニウム電線は、請求項５に記載の通り、請求項４に記載のアルミニウム電線用導体の製造方法により製造されたアルミニウム電線用導体から構成されていることを特徴とするアルミニウム電線である。
【手続補正６】
【補正対象書類名】明細書
【補正対象項目名】００１１
【補正方法】変更
【補正の内容】
【００１１】
また、本発明のアルミニウム電線は請求項６に記載の通り、請求項５に記載のアルミニウム電線において、導体の断面積が、０．０５ｍｍ2以上２ｍｍ2以下であることを特徴とする。
【手続補正７】
【補正対象書類名】明細書
【補正対象項目名】００１２
【補正方法】変更
【補正の内容】
【００１２】
本発明の導電用アルミニウム導体材料およびアルミニウム電線用導体の製造方法によれば、導電率が３０％ＩＡＣＳ以上で、かつ、引張強度が３５０ＭＰａ以上の引張強度を有するアルミニウム電線用導体が実現でき、自動車用電線のうち、特に信号線用途などに好適な軽量な電線が実現可能となり、このとき、１０％以上の伸びが可能となり、ワイヤーハーネスに用いられる電線として充分な伸線加工性や取り扱い性が得られる。
【手続補正８】
【補正対象書類名】明細書
【補正対象項目名】００１３
【補正方法】変更
【補正の内容】
【００１３】
本発明のアルミニウム電線は、導電率が３０％ＩＡＣＳ以上で、かつ、引張強度が３５０ＭＰａ以上のアルミニウム電線用導体を用いるのでので、自動車用電線、特に信号線用途などの細線径電線に特に好適なアルミニウム電線用導体である。
【手続補正９】
【補正対象書類名】明細書
【補正対象項目名】００２４
【補正方法】変更
【補正の内容】
【００２４】
このような一連の工程を実施することにより、導電率が３０％ＩＡＣＳ以上で、かつ、引張強度が３５０ＭＰａ以上の引張強度を有するアルミニウム電線用芯線が得られ、必要に応じて数本より合わせて、導体として、オレフィン系樹脂、あるいは、塩化ビニル樹脂などにより絶縁層を、押出し成形などによって形成して絶縁電線とする。
【手続補正１０】
【補正対象書類名】明細書
【補正対象項目名】００３３
【補正方法】変更
【補正の内容】
【００３３】
表１〜表３により、本発明に係るアルミニウム電線用導体は、導電率が３０％ＩＡＣＳ以上で、かつ、引張強度が３５０ＭＰａ以上を満足していることが判る。
【手続補正１１】
【補正対象書類名】特許請求の範囲
【補正対象項目名】全文
【補正方法】変更
【補正の内容】
【特許請求の範囲】
【請求項１】
銅０．２質量％以上３質量％以下、マグネシウム０．５質量％以上３．６質量％以下、および、亜鉛５質量％以上７．５質量％以下を含み、かつ、残部がアルミニウムと不可避不純物とから構成されており、かつ、引張強度が３５０ＭＰａ以上であることを特徴とする導電用アルミニウム導体材料。
【請求項２】
銅０．２質量％以上３質量％以下、マグネシウム０．５質量％以上３．５質量％以下、亜鉛５質量％以上７．５質量％以下、および、ケイ素を０．４質量％以下を含み、かつ、残部がアルミニウムと不可避不純物とから構成されており、かつ、引張強度が３５０ＭＰａ以上であることを特徴とする導電用アルミニウム導体材料。
【請求項３】
銅０．２質量％以上３質量％以下、マグネシウム０．５質量％以上３．５質量％以下、亜鉛５質量％以上７．５質量％以下、および、ケイ素を０．０１質量％０．０５質量％以下を含み、かつ、残部がアルミニウムと不可避不純物とから構成されており、かつ、引張強度が３５０ＭＰａ以上であることを特徴とする導電用アルミニウム導体材料。
【請求項４】
請求項１ないし請求項３のいずれか１項に記載の導電用アルミニウム導体材料からなる荒引線を鋳造する鋳造工程、４５０℃以上５００℃以下の温度で５時間以上１０時間以下溶体化処理する溶体化処理工程、５℃／秒以上の冷却速度で冷却する冷却工程、所望の太さまで伸線する伸線工程、および、１００℃以上３００℃以下で１時間以上５０時間以上時効処理を行う時効処理工程をこの順で備えたことを特徴とするアルミニウム電線用導体の製造方法。
【請求項５】
請求項４に記載のアルミニウム電線用導体の製造方法により製造されたアルミニウム電線用導体から構成されていることを特徴とするアルミニウム電線。
【請求項６】
前記アルミニウム電線用の断面積が、０．０５ｍｍ2以上２ｍｍ2以下であることを特徴とする請求項５に記載のアルミニウム電線。